(57)【要約】【課題】本発明は燃料を節約すること、風呂の水を節約すること、風呂が沸くまでの待機の時間を短くすること等、省エネのための、断熱容器を提供することにある。この断熱容器を風呂に入れるとき、あるいは風呂から取り出すときには浮いていた方が扱いやすい。入浴中は、沈んでいた方が入浴の妨げにならない。その上、沈んでいた方が熱の損失が少なくなる。【解決手段】当断熱容器は、外層体（１）と内層体（２）の間に、中空または、発泡体の断熱層（３）を設け、芯部（４）に熱が伝わりにくくした容器である。当断熱容器の芯部に、注入口（５）から水を注入する。このとき、断熱層の浮力に相当する、食塩を添加する。この量は、当容器全体の比重が４℃で０．９９９程度となるように、調整する。【選択図】          図１
2004187893.tif 000002
【特許請求の範囲】
【請求項１】
外層体（１）と内層体（２）の間に、中空または、発泡体の断熱層（３）を設け、芯部（４）に熱が伝わりにくくした容器で、断熱容器の芯部に、注入口（５）から水を注入し、このとき、断熱層の浮力に相当する、食塩を添加し、容器全体の比重が４℃で０．９９９程度となるように、調整した容器であり、任意の形状で、可撓性の材質とした断熱容器。
【発明の詳細な説明】
【０００１】
【発明の属する技術分野】
この発明は、風呂を沸かす際に、燃料と水と時間を節約するための、可撓性断熱容器に関するものである。
【０００２】
【従来の技術】
従来より、風呂の水と沸かすための燃料を節約する方法として、浴槽用水中浮遊具が考案されているが、水面を浮遊しているため、入浴の妨げとなっている。
基本的に、水の体膨張率を考慮すれば、浴槽内に浮遊する断熱容器は、水面に浮くか、底に沈むかのいずれかであり、湯沸し中に水中に浮遊しているのは、一時的な状態である。
また、水面に浮遊していると、風呂を沸かしているときに、その水面の温度と、断熱容器の温度の差が大きければ、それだけ熱の損失が大きくなる。
【０００３】
【発明が解決しようとする課題】
本発明の目的は、燃料を節約すること、風呂の水を節約すること、風呂が沸くまでの待機の時間を短くすること等、省エネのための、断熱容器を提供することにある。この断熱容器を風呂に入れるとき、あるいは風呂から取り出すときには、浮いていた方が扱いやすい。入浴中は、沈んでいた方が入浴の妨げにならない。その上、沈んでいた方が熱の損失が少なくなる。
本発明は、以上の点を解決するために発明されたものである。
【０００４】
【課題を解決するための手段】
当断熱容器は、外層体（１）と内層体（２）の間に、中空または、発泡体の断熱層（３）を設け、芯部（４）に熱が伝わりにくくした容器である。
当断熱容器の芯部に、注入口（５）から水を注入する。このとき、断熱層の浮力に相当する、食塩を添加する。この量は、当容器全体の比重が４℃で０．９９９程度となるように、調整する。参考として、水の比重は、０．９９９９７３（３．７８℃）。
このように調整すれば、水の体膨張率（２０℃）は０．０００２０７／ｄｅｇであり、当容器の水温よりも、風呂の水温が５℃以上高くなると、容器が沈みはじめる。
底面の水温は、攪拌しない限り表面の水温が５０℃に上昇しても、それ程上昇しないので、当容器との温度差は小さく、熱伝導による損失は小さくなる。
当容器の形状は、球、楕円体等、任意でよいが、落下させても危険がないように、ゴムなどの、可撓性の材質とする。
【０００５】
【発明の実施の形態】
以下、本発明の実施の形態について説明する。
イ、図１において、外層体の外側の半径を７８．２ｍｍとすると、球の体積は、約２００３ｃｍ３となる。外層体の厚みを３．２ｍｍとすると、断熱層の外側の半径は、７５ｍｍとなる。断熱層の厚みを５ｍｍとすると、断熱層の体積は、約３３０ｃｍ３となる。
ロ、内層体の外側の半径を７０ｍｍとし、厚みを２ｍｍとすると、芯部の体積は、約１３１７ｃｍ３となる。外層体（３ｍｍ）と内層体（２ｍｍ）の体積を合計すると、約３５６ｃｍ３となる。可とう性材質として、ゴムを用いれば、比重を約０．９５として、１８ｇの浮力が生じる。断熱層（３３０ｃｍ３）の重さを１０ｇとすると、３２０ｇの浮力となる。
ハ、半径７８．２ｍｍの断熱容器に、水を注入し、外層体と内層体及び断熱層の浮力に相当する、３３８ｇの食塩を添加すれば、断熱容器の比重は１となる。
断熱容器の比重を４℃で０．９９９とするには、３３６ｇ添加すれば、よいことになる。
ニ、このように調整すれば、水の体膨張率（２０℃）は０．０００２０７／ｄｅｇであり、当容器の水温よりも、風呂の水温が５℃以上高くなると、容器が沈みはじめることになる。
【０００６】
ホ、図１において、外層体の外側の半径を６２．１ｍｍとすると、球の体積は、約１００３ｃｍ３となる。外層体の厚みを３．１ｍｍとすると、断熱層の外側の半径は、５９ｍｍとなる。断熱層の厚みを５ｍｍとすると、断熱層の体積は、約２０１ｃｍ３となる。
ヘ、内層体の外側の半径を５４ｍｍとし、厚みを２ｍｍとすると、芯部の体積は、約５８９ｃｍ３となる。外層体（３ｍｍ）と内層体（２ｍｍ）の体積を合計すると、約２０９ｃｍ３となる。可とう性材質として、ゴムを用いれば、比重を約０．９５として１０ｇの浮力が生じる。断熱層（２０１ｃｍ３）の重さを１０ｇとすると、１９１ｇの浮力となる。
ト、半径６２．１ｍｍの断熱容器に、水を注入し、外層体と内層体及び断熱層の浮力に相当する、２０１ｇの食塩を添加すれば、断熱容器の比重は１となる。断熱容器の比重を４℃で０．９９９とするには、２００ｇ添加すれば、よいことになる。
チ、このように調整すれば、水の体膨張率（２０℃）は０．０００２０７／ｄｅｇであり、当容器の水温よりも、風呂の水温が５℃以上高くなると、容器が沈みはじめることになる。
【０００７】
リ、中空の断熱層としては、ポリエチレンのシートに直径約１０ｍｍ，高さ（厚さ）約５ｍｍの空気を内包した起伏を、一面に敷き詰めたエアパッキンのようなものが上げられる。この他に断熱体として、有効な材質としては、ウレタン樹脂発泡体（密度３０ｋｇ／ｍ３）、フェノール樹脂発泡体（密度３０ｋｇ／ｍ３）が上げられる。熱伝導率（ｋｃａｌ／ｍｈ℃）は、ウレタンでは０．０１６、フェノールでは、０．０２７である。いずれにしても、完全に熱の伝導を遮断する断熱体はない。
しかし、風呂を沸かす際、風呂の水温が上昇し始めると、当容器は次第に底面に沈む。底面の水温は、攪拌しない限り表面の水温が５０℃に上昇しても、それ程上昇しないので、当容器との温度差は小さく、熱伝導による損失は少なくなる。
攪拌後は、断熱層により芯部への熱の伝導を抑え、芯部の水温の上昇が１時間に５℃程度であれば、熱伝導による、損失は少なくて済む。
【０００８】
ヌ、断熱層は、厚みが増せば、熱損失を少なくすることができるが、添加する食塩の量が多くなり、薄ければ、断熱の効率が低下する。いずれにしても、断熱層の厚さは、食塩の添加により当容器全体の比重が４℃で、０．９９９に調整できる、厚さとする。
【０００９】
ル、約２リットルの断熱容器を浴槽に入れると、その分、水嵩が増す。風呂の水温が上昇すると、断熱容器は沈むので１０個入れても入浴の妨げにはならない。この容器を１０個入れると、２０リットルの水の節約となる。さらに、１０℃から、４０℃に水温を上げるのに要する、６００ｋｃａｌの熱量を節約することができる。
この６００ｋｃａｌは、ガス消費量が７０００ｋｃａｌ／ｈの風呂釜では、約５分速く沸かすことができることになる。
【００１０】
ヲ、ＬＰガスの中で、代表的なプロパンガスの物理的化学的特性については、下記のような数値となっている。
ガス密度    （０℃）                  ２．０２ｋｇ／ｍ３
総発熱量    （２５℃）              １２０３４ｋｃａｌ／ｋｇ
真発熱量    （２５℃）              １１０７９ｋｃａｌ／ｋｇ
１回の湯沸しで、６００ｋｃａｌの熱量を節約できれば、１００回で６００００ｋｃａｌの節約となる。これは、真発熱量で計算すると、風呂釜の熱効率を１として５．４ｋｇのガスに相当する。
【００１１】
【発明の効果】
イ、当断熱容器を浴槽に入れることにより、同体積の水量を節約すると同時に、同体積の水を沸かすのに必要な、熱エネルギーを節約することができる。
ロ、４℃で０．９９９の比重に調整しているので、風呂の水温が上昇すると、当断熱容器は底面に沈みはじめる。これにより当容器と底面の水温の差が少なくなり、熱伝導による、損失が少なくなる。
ハ、浴槽の底面に浮遊しているので、入浴中の妨げにならない。
ニ、熱エネルギーを節約することにより、風呂が沸くまでの時間を短くすることができる。
ホ、二人以上で浴槽に入る場合などは、お湯が溢れ出す前に、当容器を取り出しておけば、無駄な溢水を避けることができる。
【図面の簡単な説明】
【図１】本発明の断面図である。
【符号の説明】
１  外層体
２  内層体
３  断熱層
４  芯部
５  注入口  栓
【図１】
2004187893.tif 000003